(57)【特許請求の範囲】
【請求項１】
乗降口間を循環移動する踏段と、前記踏段の幅方向両側に設けられたスカートガードと、前記乗降口に設けられた乗降板と、を備えた乗客コンベアに適用される乗客コンベアの乗降口清掃装置であって、
前記乗降口において、前記スカートガードよりも前記踏段から離れた位置に設けられ、前記乗降板の上を通って前記乗降板の外へ向けて送風する第１送風機と、
前記第１送風機と前記踏段との間に設けられ、前記乗降板上の前記第１送風機側に向けて送風する第２送風機と、
前記乗客コンベアの運転状態があらかじめ設定された条件を満たした場合に、前記第２送風機を駆動した後に前記第１送風機を駆動する制御部と、を備えた
乗客コンベアの乗降口清掃装置。
【請求項２】
前記乗降口には、前記乗客コンベアの乗客を検出して自動運転を行うための光電ポストが設けられ、
前記制御部は、前記乗客コンベアの運転状態として、前記光電ポストによる検出結果を用いる
請求項１に記載の乗客コンベアの乗降口清掃装置。
【請求項３】
前記第１送風機は、前記光電ポストに設けられ、前記第２送風機は、前記スカートガードに設けられている
請求項２に記載の乗客コンベアの乗降口清掃装置。
【請求項４】
前記第１送風機は、前記光電ポストに設けられ、前記第２送風機は、前記光電ポストと前記踏段との間に配置された支柱に設けられている
請求項２に記載の乗客コンベアの乗降口清掃装置。
【請求項５】
前記第１送風機は、前記光電ポストと前記踏段との間に配置された支柱に設けられ、前記第２送風機は、前記スカートガードに設けられている
請求項２に記載の乗客コンベアの乗降口清掃装置。
【請求項６】
前記乗降板上における異物の状態を検出する異物状態検出部をさらに備え、
前記制御部は、前記乗客コンベアの運転状態と併せて、前記乗降板上における異物の状態に基づいて、前記第１送風機または前記第２送風機を駆動する
請求項１から請求項５までの何れか１項に記載の乗客コンベアの乗降口清掃装置。
【請求項７】
前記異物状態検出部は、前記乗降板上を撮像する撮像部、降水の有無を検出する降水検出部および前記乗降板上の湿度を検出する湿度検出部の少なくとも１つである
請求項６に記載の乗客コンベアの乗降口清掃装置。
【請求項８】
乗降口間を循環移動する踏段と、前記踏段の幅方向両側に設けられたスカートガードと、前記乗降口に設けられた乗降板と、を備えた乗客コンベアに適用され、前記乗降口において、前記スカートガードよりも前記踏段から離れた位置に設けられ、前記乗降板の上を通って前記乗降板の外へ向けて送風する第１送風機と、前記第１送風機と前記踏段との間に設けられ、前記乗降板上の前記第１送風機側に向けて送風する第２送風機とを備えた乗客コンベアの乗降口清掃装置によって実現される乗降口清掃方法であって、
前記乗客コンベアの運転状態を検出する運転状態検出ステップと、
前記乗客コンベアの運転状態があらかじめ設定された条件を満たした場合に、前記第２送風機を駆動した後に前記第１送風機を駆動する駆動ステップと、
を有する乗客コンベアの乗降口清掃方法。
【発明の詳細な説明】
【技術分野】
【０００１】
この発明は、例えばエスカレータや動く歩道等の乗客コンベアに設けられる乗客コンベアの乗降口清掃装置および乗降口清掃方法に関する。
【背景技術】
【０００２】
例えば、屋外に設置されるエスカレータでは、乗降口の乗降板上に落ち葉や塵埃が堆積したり、雪が付着したり、雨水が広がったりすることがある。以下、落ち葉や塵埃、雪、雨水を総称する場合には、異物と称する。このように、乗降板上に異物が存在すると、乗客が滑って転倒したり、乗降口の見た目が悪くなったりするという問題があった。
【０００３】
ここで、乗客コンベアの乗降口において、踏段上からくしを通って乗降板上へと流れる空気流を供給することで、くしの近傍にある塵埃等を乗降板上に移動させる空気流供給手段と、この空気流供給手段の作動を制御する制御手段とを備えた乗客コンベアが知られている（例えば、特許文献１参照）。
【０００４】
この乗客コンベアによれば、踏段上からくしを通って乗降板上へと流れる空気流を供給することで、乗降口のくし近傍に滞留している塵埃等を乗降板上に移動させることにより、これらの塵埃等がくし近傍に次第に蓄積して、徐々に機械室の内部に浸入することを防止している。
【先行技術文献】
【特許文献】
【０００５】
【特許文献１】特開２００５−２１９８２８号公報
【発明の概要】
【発明が解決しようとする課題】
【０００６】
しかしながら、従来技術には、以下のような課題がある。
すなわち、特許文献１に記載の乗客コンベアでは、塵埃等が機械室の内部に浸入することは防止できるものの、くし近傍に滞留している塵埃等を乗降板上に移動させるだけなので、異物を乗降板上から外に出すことができず、乗客の転倒や乗降口の見た目の悪化を防止することができないという問題がある。
【０００７】
この発明は、上記のような課題を解決するためになされたものであり、乗降板上から異物を取り除いて、乗客の転倒を防止しつつ、乗降口の見た目を良好に保つことができる乗客コンベアの乗降口清掃装置および乗降口清掃方法を得ることを目的とする。
【課題を解決するための手段】
【０００８】
この発明に係る乗客コンベアの乗降口清掃装置は、乗降口間を循環移動する踏段と、踏段の幅方向両側に設けられたスカートガードと、乗降口に設けられた乗降板と、を備えた乗客コンベアに適用される乗客コンベアの乗降口清掃装置であって、乗降口において、スカートガードよりも踏段から離れた位置に設けられ、乗降板の上を通って乗降板の外へ向けて送風する第１送風機と、第１送風機と踏段との間に設けられ、乗降板上の第１送風機側に向けて送風する第２送風機と、乗客コンベアの運転状態があらかじめ設定された条件を満たした場合に、第２送風機を駆動した後に第１送風機を駆動する制御部と、を備えたものである。
【０００９】
また、この発明に係る乗客コンベアの乗降口清掃方法は、乗降口間を循環移動する踏段と、踏段の幅方向両側に設けられたスカートガードと、乗降口に設けられた乗降板と、を備えた乗客コンベアに適用され、乗降口において、スカートガードよりも踏段から離れた位置に設けられ、乗降板の上を通って乗降板の外へ向けて送風する第１送風機と、第１送風機と踏段との間に設けられ、乗降板上の第１送風機側に向けて送風する第２送風機とを備えた乗客コンベアの乗降口清掃装置によって実現される乗降口清掃方法であって、乗客コンベアの運転状態を検出する運転状態検出ステップと、乗客コンベアの運転状態があらかじめ設定された条件を満たした場合に、第２送風機を駆動した後に第１送風機を駆動する駆動ステップと、を有するものである。
【発明の効果】
【００１０】
この発明に係る乗客コンベアの乗降口清掃装置および乗降口清掃方法によれば、乗降口において、スカートガードよりも踏段から離れた位置に設けられ、乗降板の上を通って乗降板の外へ向けて送風する第１送風機は、乗客コンベアの運転状態があらかじめ設定された条件を満たした場合に駆動される。
そのため、乗降板上から異物を取り除いて、乗客の転倒を防止しつつ、乗降口の見た目を良好に保つことができる。
【図面の簡単な説明】
【００１１】
【図１】この発明の実施の形態１に係る乗客コンベアの乗降口清掃装置が適用されたエスカレータを示す斜視図である。
【図２】この発明の実施の形態１に係る乗客コンベアの乗降口清掃装置が適用されたエスカレータを示す側面図である。
【図３】この発明の実施の形態１に係る乗客コンベアの乗降口清掃装置が適用されたエスカレータの乗降口を示す平面図である。
【図４】この発明の実施の形態１に係る乗客コンベアの乗降口清掃装置を示すブロック構成図である。
【図５】この発明の実施の形態１に係る乗客コンベアの乗降口清掃装置の動作を示すフローチャートである。
【発明を実施するための形態】
【００１２】
以下、この発明に係る乗客コンベアの乗降口清掃装置および乗降口清掃方法の好適な実施の形態につき図面を用いて説明するが、各図において同一、または相当する部分については、同一符号を付して説明する。なお、下記の実施の形態では、乗客コンベアとしてエスカレータを例に挙げて説明するが、これに限らず、乗客コンベアは動く歩道であってもよい。
【００１３】
実施の形態１．
図１は、この発明の実施の形態１に係る乗客コンベアの乗降口清掃装置が適用されたエスカレータを示す斜視図である。図１において、このエスカレータは、互いに隣接する第１エスカレータ１と第２エスカレータ２とが、パネル３で連結されている。第１エスカレータ１と第２エスカレータ２とを総称してエスカレータ１０とする。
【００１４】
第１エスカレータ１および第２エスカレータ２のそれぞれは、乗降口間を循環移動する踏段１１と、踏段１１の幅方向両側に設けられたスカートガード１２と、乗降口に設けられた乗降板１３とを有している。また、乗降口には、エスカレータ１０の乗客を検出して自動運転を行うための一対の光電ポスト１４が設けられている。
【００１５】
ここで、エスカレータ１０の自動運転は、省エネルギーを実現することを目的として、光電ポスト１４で乗客が検出されない場合に、エスカレータ１０を停止するかまたは乗客輸送時よりも低速度で運転し、光電ポスト１４で乗客が検出された場合に、乗客を輸送するために定格速度でエスカレータ１０を運転するものである。
【００１６】
一対の光電ポスト１４には、それぞれ図示しない投光部および受光部が設けられている。光電ポスト１４は、投光部から投光された光が受光部で受光される場合に、乗客がいないことを検出し、投光部から投光された光が受光部で受光されない場合に、乗客がいることを検出する。
【００１７】
また、光電ポスト１４と踏段１１の間には、支柱１５と横桟１６とによって構成された柵が設けられている。また、光電ポスト１４の下部には、乗降板１３の上を通って乗降板１３の外へ向けて送風する第１送風機１７が設けられている。また、スカートガード１２には、乗降板１３上の所定の領域に向けて送風する第２送風機１８が設けられている。なお、第１送風機１７の吹き出し口は、より高い位置に設けられてもよい。
【００１８】
図２は、この発明の実施の形態１に係る乗客コンベアの乗降口清掃装置が適用されたエスカレータを示す側面図である。図２において、建物の上階床と下階床との間に、エスカレータ１０が設置されている。また、エスカレータ１０のトラス構造体の上部には、機械室２０が設けられている。機械室２０の中には、エスカレータの駆動を制御する制御盤が収められている。
【００１９】
また、エスカレータ１０の天井には、上方から乗降板１３上を撮像するカメラ（撮像部）２１が設けられている。カメラ２１は、定期的（例えば、１秒間隔）で乗降板１３上の設定可能な任意の領域を撮像する。カメラ２１を用いることにより、乗降板１３上に落ち葉や塵埃が堆積していることを検出することができる。
【００２０】
また、エスカレータ１０の天井には、降水の有無を検出する雨水センサ（降水検出部）２２が設けられている。雨水センサ２２を用いることにより、乗降板１３上に雪が付着したり、雨水が広がったりしていることを検出することができる。
【００２１】
図３は、この発明の実施の形態１に係る乗客コンベアの乗降口清掃装置が適用されたエスカレータの乗降口を示す平面図である。図３において、乗降板１３には、乗降板１３上の湿度を検出する湿度センサ（湿度検出部）２３が設けられている。湿度センサ２３を用いることにより、乗降板１３上に雪が付着したり、雨水が広がったりしていることを検出することができる。
【００２２】
なお、湿度センサ２３の位置は、図示した位置に限定されるものではなく、スカートガード１２や光電ポスト１４、支柱１５等に設けられてもよい。また、図２で示した雨水センサ２２は、湿度センサ２３と同様に、乗降板１３上に雪が付着したり、雨水が広がったりしていることを検出するものであることから、雨水センサ２２および湿度センサ２３の何れか一方のみを用いてもよい。
【００２３】
ここで、第１送風機１７および第２送風機１８の送風の仕方について具体的に説明する。まず、第２送風機１８は、第１送風機１７側に向けて、乗降板１３上の異物を集めるように送風する。続いて、第１送風機１７は、第２送風機１８側に向けて、第２送風機１８からの送風によって集められた異物を、乗降板１３から外に押し出すように送風する。
【００２４】
このように、第２送風機１８の送風によって集められた異物を、第１送風機１７の送風によって乗降板１３から外に押し出すことにより、効率的に異物を押し出すことができる。また、第１送風機１７が、第２送風機１８側に向けて送風することにより、光電ポスト１４で乗客が検出され、送風を止める場合であっても、乗客に風を当てることがない。
【００２５】
また、図１〜３では、光電ポスト１４に第１送風機１７が設けられ、スカートガード１２に第２送風機１８が設けられている場合を例に挙げて説明したが、これに限定されない。すなわち、光電ポスト１４に第１送風機１７を設け、支柱１５に第２送風機１８を設けてもよい。この場合には、スカートガード１２に送風機の取り付けスペースがないエスカレータに対しても、乗降口清掃装置を後付けすることができる。
【００２６】
また、支柱１５に第１送風機１７を設け、スカートガード１２に第２送風機１８を設けてもよい。この場合には、エスカレータ１０の配置上、光電ポスト１４がスカートガード１２から遠くなる場合であっても、支柱１５から送風することで、乗降板１３上の異物を外に押し出すことができる。なお、第２送風機１８を設けることなく、第１送風機１７のみを設けた場合であっても、乗降板１３上の異物を外に押し出すことができる。
【００２７】
図４は、この発明の実施の形態１に係る乗客コンベアの乗降口清掃装置を示すブロック構成図である。図４において、この乗客コンベアの乗降口清掃装置は、光電ポスト１４、第１送風機１７、第２送風機１８、カメラ２１、雨水センサ２２、湿度センサ２３および制御部３０から構成されている。
【００２８】
ここで、制御部３０は、エスカレータ１０の運転状態を示す光電ポスト１４による検出結果、並びに乗降板１３上における異物の状態を示すカメラ２１、雨水センサ２２および湿度センサ２３による検出結果に基づいて、第１送風機１７および第２送風機１８を駆動する。
【００２９】
以下、制御部３０が第１送風機１７および第２送風機１８からの送風を開始する条件について具体的に説明する。制御部３０は、光電ポスト１４により、乗客がいないことが検出された場合に、送風の開始が可能であると判断する。また、制御部３０は、カメラ２１、雨水センサ２２および湿度センサ２３の何れかにより乗降板１３上の異物が検出された場合に、送風が必要であると判断する。
【００３０】
すなわち、制御部３０は、乗客がいないことが検出され、乗降板１３上の異物が検出された場合に、第１送風機１７および第２送風機１８による送風を開始する。このとき、制御部３０は、第２送風機１８による送風の後、第１送風機１７による送風を行い、これを繰り返す。なお、制御部３０は、第１送風機１７および第２送風機１８による送風によっても異物がなくならない場合には、風量を上げたり、第２送風機１８から断続的に送風した後に、第１送風機１７から断続的に送風したりしてもよい。
【００３１】
また、制御部３０は、エスカレータ１０の運転状態のみに基づいて、第１送風機１７および第２送風機１８を駆動してもよい。この場合には、制御部３０は、光電ポスト１４により、乗客がいないことが検出されてから所定時間が経過した後に、一度第１送風機１７および第２送風機１８を駆動させてもよいし、定期的に第１送風機１７および第２送風機１８を駆動させてもよい。
【００３２】
次に、制御部３０が第１送風機１７および第２送風機１８からの送風を停止する条件について具体的に説明する。まず、制御部３０は、光電ポスト１４により、乗客がいることが検出された場合に、送風を停止する。また、制御部３０は、カメラ２１、雨水センサ２２および湿度センサ２３の何れからも、乗降板１３上の異物が検出されなくなった場合に、送風を停止する。
【００３３】
すなわち、制御部３０は、乗客がいることが検出されるか、または乗降板１３上の異物が検出されなくなった場合に、第１送風機１７および第２送風機１８による送風を停止する。なお、制御部３０は、エスカレータ１０の運転状態のみに基づいて、第１送風機１７および第２送風機１８の駆動を停止してもよい。この場合には、制御部３０は、送風開始から所定時間が経過したとき、または第１送風機１７および第２送風機１８からの送風回数が所定回数を超えたときに、送風を停止する。
【００３４】
図５は、この発明の実施の形態１に係る乗客コンベアの乗降口清掃装置の動作を示すフローチャートである。なお、ここでは、第１送風機１７および第２送風機１８による送風開始から所定時間が経過した後、乗降板１３上の異物の状態に応じて送風を停止する場合を例に挙げて説明し、送風停止までの間に、乗客が検出されないものとする。
【００３５】
まず、制御部３０は、光電ポスト１４によって、乗客が検出されたか否かを判定する（ステップＳ１）。
【００３６】
ステップＳ１において、乗客が検出されていない（すなわち、Ｎｏ）と判定された場合には、カメラ２１、雨水センサ２２および湿度センサ２３の何れかにより乗降板１３上の異物が検出されたか否かを判定する（ステップＳ２）。
【００３７】
ステップＳ２において、異物が検出された（すなわち、Ｙｅｓ）と判定された場合には、制御部３０は、第２送風機１８から送風を行い（ステップＳ３）、続いて第１送風機１７から送風を行う（ステップＳ４）。
【００３８】
一方、ステップＳ１において、乗客が検出された（すなわち、Ｙｅｓ）と判定された場合、またはステップＳ２において、異物が検出されていない（すなわち、Ｎｏ）と判定された場合には、そのまま図５の処理を終了する。
【００３９】
続いて、制御部３０は、送風開始から所定時間が経過したか否かを判定する（ステップＳ５）。
【００４０】
ステップＳ５において、所定時間が経過した（すなわち、Ｙｅｓ）と判定された場合には、制御部は、カメラ２１、雨水センサ２２および湿度センサ２３の何れかにより乗降板１３上の異物が検出されたか否かを判定する（ステップＳ６）。
【００４１】
ステップＳ６において、異物が検出されていない（すなわち、Ｎｏ）と判定された場合には、制御部３０は、第１送風機１７および第２送風機１８からの送風を停止して（ステップＳ７）、図５の処理を終了する。
【００４２】
一方、ステップＳ５において、所定時間が経過していない（すなわち、Ｎｏ）と判定された場合、またはステップ６において、異物が検出された（すなわち、Ｙｅｓ）と判定された場合には、ステップ３に移行する。
【００４３】
以上のように、実施の形態１によれば、乗降口において、スカートガードよりも踏段から離れた位置に設けられ、乗降板の上を通って乗降板の外へ向けて送風する第１送風機は、乗客コンベアの運転状態があらかじめ設定された条件を満たした場合に駆動される。
そのため、乗降板上から異物を取り除いて、乗客の転倒を防止しつつ、乗降口の見た目を良好に保つことができる。
【符号の説明】
【００４４】
１  第１エスカレータ、２  第２エスカレータ、３  パネル、１０  エスカレータ、１１  踏段、１２  スカートガード、１３  乗降板、１４  光電ポスト、１５  支柱、１６  横桟、１７  第１送風機、１８  第２送風機、２０  機械室、２１  カメラ、２２  雨水センサ、２３  湿度センサ、３０  制御部。
【図１】
0006463233.tif 000002
【図２】
0006463233.tif 000003
【図３】
0006463233.tif 000004
【図４】
0006463233.tif 000005
【図５】
0006463233.tif 000006